(57)【要約】【課題】非常時に、避難場所に即座に移動できて食料を調理できる災害用調理台車を提供すること。【解決手段】調理台車１は、下部支持台１３上に配置される少なくとも２台の加熱装置３、５を位置固定する位置固定板１５と、加熱装置３、５を囲撓する防護柵１１と、下部支持台１３の下部に配置されるキャスタ１２と、を備えている。第１の加熱装置３に被加熱物支持体２０を装着し、被加熱物支持体２０に第１の被加熱物としての寸胴鍋６又は、第２の被加熱物としてのストーブ用通風体のいずれかを載置して加熱する。第２の加熱装置５には、２段に積み上げた下段焼き物器４１と上段焼き物器４２とを載置する。下段焼き物器４１は下部に突出脚片４１２を装着して第２の加熱装置５に装着する。【選択図】図１
0003147864.tif 000002
【実用新案登録請求の範囲】
【請求項１】
並設して収納された少なくとも２台の加熱装置を載設する下部支持台と、前記下部支持台の上方に配設されるとともに調理器具を載設する上部支持台と、前記加熱装置及び前記調理器具を囲撓する防護柵と、前記下部支持台の下方に配設されたキャスタと、を備えて移動可能に構成される災害用調理台車であって、
前記下部支持台には、複数の加熱装置を位置固定する支持手段が配設されていることを特徴とする災害用調理台車。
【請求項２】
前記下部支持台に載設される少なくとも第１の加熱装置には、複数の被加熱物を置き換え可能に載設する被加熱物支持体が装着され、
前記被加熱物支持体は、前記第１の加熱装置に装着する円環状の本体部と、前記本体部から外方に突出する複数の突出支持片と、前記本体部の上面に形成される支持リング面と、を備えて形成されていることを特徴とする請求項１記載の災害用調理台車。
【請求項３】
前記被加熱物支持体に載設される第１の被加熱物は、前記突出支持片に支持される下端部を備えた容器であることを特徴とする請求項２記載の災害用調理台車。
【請求項４】
前記被加熱物支持体に載設される第２の被加熱物は、前記支持リング面に支持される下端部を備えたストーブ用通風体であることを特徴とする請求項２記載の災害用調理台車。
【請求項５】
前記ストーブ用通風体は、下部に前記被加熱物支持体に装着される装着部と、複数のパイプを上下方向に並設する熱風通路部と、前記熱風通路部の上方に配設されるとともに上面を閉口して複数の熱風排出口を側面に形成する熱風排出部とを備えて構成されていることを特徴とする請求項４記載の災害用調理台車。
【請求項６】
前記下部支持台に載設される第２の加熱装置には、前記第２の加熱装置に係止可能な取付け片を下部に備える第３の被加熱物が載設され、前記第３の被加熱物には、加熱される食料を載置する第１の載置板が第１の通気孔を複数個有して配設されていることを特徴とする請求項１記載の災害用調理台車。
【請求項７】
前記第３の被加熱物は、上方に第４の被加熱物を重合可能に形成されるとともに、前記第４の被加熱物には、加熱される食料を載置する第２の載置板が、前記第１の通気孔より大径に形成された第２の通気孔を複数個有して配設されていることを特徴とする請求項６記載の災害用調理台車。
【請求項８】
前記防護柵には、折り畳み可能な調理台が配設されていることを特徴とする請求項１記載の災害用調理台車。
【考案の詳細な説明】
【技術分野】
【０００１】
本考案は災害時に加熱された食料を提供できる災害用調理台車に関する。
【背景技術】
【０００２】
一般に、火事や地震等の異常事態が発生した場合、学校や公園が避難場所として設定されていることが多い。この場合、避難してきた住民は緊急であることから、充分な食料や飲み物を持参しているわけではない。そのため、避難場所においては、まず食べ物や飲み物が要求されることとなっていた。
【０００３】
災害時用の食料を確保することに関しては、例えば、特許文献１に示すような防災備蓄倉庫や、特許文献２に示すような、ベンチ等を調理場として使用するベンチ式調理場が提案されていた。特許文献１における防災備蓄倉庫では、ガスボンベや炊飯かまど又は釜あるいは食材等が保管できるようになっており、市販の物置を改造することができて容易に製造することができるようになっていた。また、特許文献２に示すベンチ式調理場では、指定避難場所に平常時に設置されたベンチ等を、組み替え式の座面と密閉式収納庫とに構成できるようにしている。そして、組み替え用の座面を組み替えコンロ状となるように構成し、密閉式収納庫の内部には、防災備蓄物として、非常食や調理器具等が収納できるようになっていた。
【特許文献１】実用新案登録第３１２１５４０号公報
【特許文献２】特開２００３−２３５６７９公報
【考案の開示】
【考案が解決しようとする課題】
【０００４】
しかし、特許文献１における従来の防災備蓄倉庫は、防災物資を収納することはできても、屋外で調理するための設備が用意されているものではなかったことから、調理すること自体ができなかった。また、特許文献２におけるベンチ式調理場では、もともと指定避難場所に設置されているベンチを組み替えて調理場とするものであるから、必要に応じて他の場所に自由に移動することができなかった。
【課題を解決するための手段】
【０００５】
本考案は、上述の課題を解決するものであり、自由に移動できて、緊急時において、食料を調理できる災害用調理台車を提供することを目的とする。そのために、本考案に係る災害用調理台車は、以下のように構成するものである。すなわち、
請求項１記載の考案では、並設して収納された少なくとも２台の加熱装置を載設する下部支持台と、前記下部支持台の上方に配設されるとともに調理器具を載設する上部支持台と、前記加熱装置及び前記調理器具を囲撓する防護柵と、前記下部支持台の下方に配設されたキャスタと、を備えて移動可能に構成される災害用調理台車であって、前記下部支持台には、複数の加熱装置を位置固定する支持手段が配設されていることを特徴とするものである。
【０００６】
請求項２記載の考案は、請求項１の考案に係るものであって、前記下部支持台に載設される少なくとも第１の加熱装置には、複数の被加熱物を置き換え可能に載設する被加熱物支持体が装着され、前記被加熱物支持体は、前記第１の加熱装置に装着する円環状の本体部と、前記本体部から外方に突出する複数の突出支持片と、前記本体部の上面に形成される支持リング面と、を備えて形成されていることを特徴としている。
【０００７】
請求項３記載の考案は、請求項２の考案に係るものであって、前記被加熱物支持体に載設される第１の被加熱物は、前記突出支持片に支持される下端部を備えた容器であることを特徴としている。
【０００８】
請求項４記載の考案は、請求項２の考案に係るものであって、前記被加熱物支持体に載設される第２の被加熱物は、前記支持リング面に支持される下端部を備えたストーブ用通風体であることを特徴としている。
【０００９】
請求項５記載の考案は、請求項４の考案に係るものであって、前記ストーブ用通風体は、下部に前記被加熱物支持体に装着される装着部と、複数のパイプを上下方向に並設する熱風通路部と、前記熱風通路部の上方に配設されるとともに上面を閉口して複数の熱風排出口を側面に形成する熱風排出部とを備えて構成されていることを特徴としている。
【００１０】
請求項６記載の考案は、請求項１の考案に係るものであって、前記下部支持台に載設される第２の加熱装置には、前記第２の加熱装置に係止可能な取付け片を下部に備える第３の被加熱物が載設され、前記第３の被加熱物には、加熱される食料を載置する第１の載置板が第１の通気孔を複数個有して配設されていることを特徴としている。
【００１１】
請求項７記載の考案は、請求項６の考案に係るものであって、前記第３の被加熱物は、上方に第４の被加熱物を重合可能に形成されるとともに、前記第４の被加熱物には、加熱される食料を載置する第２の載置板が、前記第１の通気孔より大径に形成された第２の通気孔を複数個有して配設されていることを特徴としている。
【００１２】
請求項８記載の考案は、請求項１の考案に係るものであって、前記防護柵には、折り畳み可能な調理台が配設されていることを特徴としている。
【考案の効果】
【００１３】
本考案の請求項１の構成によれば、災害用調理台車は、防護柵を備えて移動可能に構成されていることから、加熱装置や、調理用器具を積み込んで備蓄しておけば、緊急時に即座に移動して調理することができる。また、少なくとも２台の加熱装置を収納できることから、一方の加熱装置で炊飯や湯沸かしして他方の加熱装置で揚げ物や焼き物あるいは煮物を調理することができる。この際、下部支持台に載設されている加熱装置は、上部の調理器具とともに防護柵で囲まれていることから、例えば、子供が加熱装置に近づいて火傷を負うような事故を防ぐことができる。
【００１４】
また、本考案の請求項２の構成によれば、第１の加熱装置には、複数の被加熱物を置き換え可能にする被加熱物支持体が、突出支持片と支持リング面を備えていることから、大きさの異なる被加熱物を、必要に応じて即座に交換することができる。この場合、下部支持台で位置固定された第１の加熱装置は、下部支持台で位置が固定されているだけであるから、第１の加熱装置自体を災害用調理台車の外に持ち出して台車の外で暖をとることも可能である。
【００１５】
また、本考案の請求項３の構成によれば、被加熱物支持体の突出支持片は、大径の被加熱物を支持することができるから、例えば、大径の容器を使用して、多量の米を炊飯すれば多くの人に供給することができる。
【００１６】
本考案の請求項４の構成によれば、被加熱物支持体の支持リング面は、第１の被加熱物より小径の被加熱物を支持することから、例えば、例えば、第１の被加熱物より小径のストーブ用通風体等の被加熱物を支持リング面に載せ換えれば、多くの人に暖を取ることができる。
【００１７】
本考案の請求項５の構成によれば、前述のストーブ用通風体は、加熱装置で加熱された熱風を、熱風通路部内を通って上部の熱風排出部に送風し、熱風排出部から外部に排出する。熱風通路部では、複数本のパイプ内に熱風を挿通させるため、外部に熱を逃がすことなく効率よく暖房することができる。
【００１８】
本考案の請求項６及び７の構成によれば、下部支持台に載設される第２の加熱装置には、２段の被加熱物を重合して載設することができる。この際、下段側に載設する第３の被加熱物に配設した取付け片を第２の加熱装置に取り付け、第４の被加熱物を第３の被加熱物の上段に重合するように載設する。第３の被加熱物と第４の被加熱物には、食料を載置する載置板を載設している。例えば、それぞれの載置板に同じ食料を分割して載置させて、同時に加熱させることができる。この場合、第１の載置板の通気孔は高熱のため小孔に形成し、第２の載置板の通気孔は流通をよくするため第１の載置板の通気孔より大径に形成している。このため、第１の載置板と第２の載置板に載置した食料を効率よく焼くことができる。
【００１９】
本考案の請求項８の構成によれば、加熱された食料や新たな食料をさらに調理する場合、防護柵の一辺に装着した折り畳み式の調理台を調理可能な位置に配置させて調理する。これによって、避難して来た人たちは調理された食料を食することができる。
【考案を実施するための最良の形態】
【００２０】
次に、本考案による災害用調理台車の実施形態について図面に基づいて説明する。
【００２１】
図１〜３に示すように、実施形態の災害用調理台車（以下、調理台車という）１は、枠状の防護柵１１を側面に有して４隅下部にキャスタ１２を装着した台車本体１０を備えている。台車本体１０は、第１の区域を構成する下部支持台１３と、第２の区域を構成する上部支持台１４とを有している。下部支持台１３には、少なくとも２台の加熱装置３、５を位置固定する支持手段としての位置固定板１５が敷設されている。
【００２２】
実施形態の防護柵１１は、前方を開口した３方側面に配置され、それぞれの側面の両端に跨るように逆Ｕ字状の主支柱１１１が配置され、主支柱１１１間に配置される複数の縦支柱１１２と、縦支柱１１２の縦方向に沿って間隔を置いて配置される複数の横支柱１１３を有して格子状に形成されている。さらに、側面に配置される防護柵１１の一辺には、調理台１６が折り畳み可能に装着されている。
【００２３】
なお、この台車本体１０は、市販の防護台車に下部支持台１３、上部支持台１４を敷設して、下部支持台１３上に位置固定板１５を装着し、一方の側面の防護柵１１に調理台１６を装着してもよい。なお、調理台１６は標準タイプとしては装着せずにオプションとして装着してもよい。
【００２４】
位置固定板１５は、少なくとも２台の加熱装置３、５を位置固定するものであり、実施形態においては、図３中、中央部に前方に延設する仕切り部１５１を備えてＴ字状に形成されている。そして仕切り部１５１を間にして左右に区分けされた区域に第１の加熱装置３と第２の加熱装置５が装着される。
【００２５】
なお、位置固定板１５は、上記の形態に限定するものではなく、例えば、２台の加熱装置３、５を当接する位置決め部をそれぞれ備えて加熱装置より後方に延設する板状のものであってもよく、また、加熱装置を収納する収納孔部を備えて下部支持台１３上に略全体にわたって装着する板状部材又は箱状部材であってもよい。
【００２６】
また、加熱装置を２台ではなく３台以上収納する場合には、それぞれ収納区域を設けるように位置固定板１５を形成することとなる。
【００２７】
下部支持台１３上に配置される第１の加熱装置３及び第２の加熱装置５は、非常用のために、プロパンガスを加熱源とするものが適当とされる。実施形態では、第１の加熱装置３については市販のガスバーナーを使用し、第２の加熱装置５については市販のガスコンロを使用している。
【００２８】
第１の加熱装置３には、大径の胴体部を有する第１の被加熱物（以下、寸胴鍋ともいう）６と第１の被加熱物６より小さい胴体部を有する第２の被加熱物（以下、ストーブ用通風体ともいう）７（図７参照）を装着するための被加熱物支持体２０が装着されている。図４に示すように、被加熱物支持体２０は、多種類の被加熱物を載置するためのアタッチメントとして使用され、第１の加熱装置３の外枠外周面に嵌合するリング状本体部２１と、リング状本体部２１から外方に向かって突出する複数の第１の突出支持片２２と、内方に向かって突出する複数の第２の突出支持片２３と、を備えている。第１の突出支持片２２と第２の突出支持片２３とは、それぞれ外径の異なる被加熱物を支持可能に形成されている。また、リング状本体部２１の上面は、円周方向に全体にわたって被加熱物が支持される支持リング面２４として形成されている。なお、第１の突出支持片２２は、支持リング面２４より外方に突出して形成されている。
【００２９】
実施形態の第１の突出支持片２２は、リング状本体部２１の内周縁部から上方に突出した突出リング２５に一端を装着する取付け面２２１と、取付け面２２１の上端から外方に屈曲するＬ字状の載置部２２２から形成されている。載置部２２２の水平面が被加熱物を載置する載置面２２３として形成されている。実施形態においては、第１の突出支持片２２は、寸胴鍋６を載置するために、リング状本体部２１に等角度位置で４箇所に配置されている。なお、この第１の突出支持片２２は、等角度位置で３箇所以上に配置されていればよい。
【００３０】
実施形態の第２の突出支持片２３は、支持リング面２４の内周縁から上方に突出する突出リング２５を間にして、第１の突出支持片２２と反対側（内方）に向かって配置されている。第２の突出支持片２３は先端部が細くなるような角錐状に形成されている。
【００３１】
なお、実施形態において、支持リング面２４から突出する突出リング２５の高さは、第１の突出支持片２２が取り付けられている部位では高く形成され、隣り合わせの第１の突出支持片２２、２２間では一部で低く形成されている。
【００３２】
この被加熱物支持体２０のリング状本体部２１を、図４に示すように、第１の加熱装置（バーナー）３の外枠外周面に嵌め込んだ後、図５に示すような大径の寸胴鍋６を載置する。高さの高いものであれば、寸胴鍋６内に水を充填させて炊飯あるいは湯沸かしして多くの人たちに、食料や飲み物を供給することに適している。寸胴鍋６には、上部に一対の把手６１を配置するとともに、上部の開口部６２に蓋６３を装着して内部を塞ぐようにしている。
【００３３】
また、寸胴鍋６はその容量が大きいため、例えば、内部にうどんやそば等の麺類を茹でるための金網笊３３を挿入することができる。この場合、複数の脚部３２を有するサナイタ３１を寸胴鍋６の底部に挿入し、サナイタ３１の上面に金網笊３３を載置することになる。サナイタ３１には複数の小孔３１１が形成されている。
【００３４】
また、被加熱物支持体２０の支持リング面２４には、図７に示すように、第１の被加熱物（寸胴鍋）６を取外した後で、第２の被加熱物（ストーブ用通風体）７を載置することができる。実施形態のストーブ用通風体７は、下部に被加熱物支持体２０に装着される装着部７１と、中部に熱風を通す熱風通路部７２と、上部に熱風通路部７２の上方に配設されると熱風排出部７３と、を備えている。熱風通路部７２の周りには、複数本の縦支柱７４１をリング状に配置した側面防護柵７４が配置されている。
【００３５】
装着部７１は、下方を開口して上部の中央部が通し孔７１１を有して筒状板に形成されるとともに、装着部７１には、被加熱物支持体２０の第１の突出支持片２２と干渉しないように形成する切欠孔７１２が、４箇所において、装着部７１の下端面から上方に延設して形成されている。
【００３６】
熱風通路部７２は、熱風の通路となる４本のパイプ７２１と、各パイプ７２１を下部で支持する支持板７２２とを備えて構成されている。支持板７２２は、上方を閉口して下方が開口された筒状板に形成されて装着部７１の通し孔７１１を挿通している。
【００３７】
熱風排出部７３は、４本のパイプ７２１の上端部に装着された図示しない連結部材で支持され、上方を閉口して下方が開口された筒状板に形成されている。熱風排出部７３の側面には多数の熱風排出口７３１が形成され外部に熱風を排出している。
【００３８】
側面防護柵７４は、装着部７１の側面に一端を固着した複数本の縦支柱７４１と、縦支柱７４１の上部端部を内設するリング部材７４２とからなっている。
【００３９】
このストーブ用通風体７を、被加熱物支持体２０を介して第１の加熱装置３上に載置し、第１の加熱装置で加熱することによってストーブを構成することができる。
【００４０】
なお、被加熱物支持体２０の第２の突出支持片２３には、第１の突出支持片２２に載置する寸胴鍋６より小径の半寸胴鍋を載置することができ、いずれの場合においても、被加熱物の大きさによって、適宜、第１の突出支持片２２上、または第２の突出支持片２３上、あるいは支持リング面２４上に載置することができる。
【００４１】
第２の加熱装置（ガスコンロ）５は、第１の加熱装置（ガスバーナー）３よりも加熱力が低いために、第１の被加熱物（寸胴鍋）６より小径の第３の被加熱物等を載置する。実施形態においては、例えば、図８〜９に示すように、第３〜４の被加熱物として、ドラム缶状の本体部４１１、４２１に食料載置板４３、４４を装着した下段焼き物器４１と上段焼き物器４２とを載置している。下段焼き物器４１と上段焼き物器４２とは、２段に積み上げられて第２の加熱装置５で加熱される。
【００４２】
下段焼き物器４１には、第２の加熱装置５の外枠部に係止する突出脚片４１２が周方向に４箇所形成されている。また、第２の加熱装置５のガス点火部を装着するための切欠孔４１３が、本体部４１１の周方向の１箇所に、本体部４１１の下端面から上方に延設する矩形孔状に形成されている。さらに、本体部４１１の下部には、ガス点火部の点火時における通気を良好にする通気孔４１４が周方向全体にわたって複数個に形成されている。また、本体部４１１の上部内周面には、食料載置板４３が本体部４１１と一体的に固着されている。食料載置板４３には、熱風を通すための第１の通気孔４３１が形成されている。
【００４３】
上段焼き物器４２は、下段焼き物器４１の上端部に内嵌するために、本体部４２１の外径が、下段焼き物器４１の本体部４１１の内径より僅かに小さく形成されている。本体部４２１には、上部と下部に、それぞれ本体部４２１から円周方向の全周にわたって外方に突出するリブ４２２、４２３が形成されている。リブ４２２、４２３は本体部４２１を補強するために形成されるとともに、下部のリブ４２３は、下段焼き物器４１の本体部４１１の上端部に当接して、上段焼き物器４２の下段焼き物器４１への挿入ストッパとして形成されている。また、本体部４２１の上部には、空気を排出するための排出口４２４が複数形成されている。
【００４４】
上段焼き物器４２の上方には、上段焼き物器４２の上面を覆う蓋４５が配置されている。この蓋４５は鉄板焼きとして使用できる鉄板４５であってもよい。また、上段焼き物器４２の上部には把手４６（図８参照）が装着されて、上段焼き物器４２を持ち運び容易としている。さらに、上段の食料載置板４４には、下段の食料載置板４３に形成された通気孔４３１より大径の第２の通気孔４４１が複数個形成されている。
【００４５】
第２の加熱装置５には、上述の下段焼き物器４１、上段焼き物器４２以外に小径の寸胴鍋を載置して、煮物や揚げ物等を調理してもよく、また、ヤカンや鍋等で湯沸かしすることもできる。
【００４６】
第２の区域を形成する上部支持台１４には、調理用器具、例えば、ガス調整器やゴムホース、ステンレス製網杓子、ステンレス製水杓子、お玉やトング等を収納する収納ボックス５１や、大きな網杓子５２や大きな水杓子５３、又は、第１の加熱装置３、第２の加熱装置５に載置するための使用していない寸胴鍋６や、ストーブ用通風体７又は焼き物器４１、４２等が載置される。
【００４７】
上述のように構成された調理台車１は、未使用状態においては、第１の区画又は第２の区画内に、上述した各加熱装置や調理機具等を収納した状態で、指定された災害用倉庫内に保管されている。非常時の緊急事態において、速やかに避難場所に調理用台車１ごと移動する。
【００４８】
次に、避難場所に移動した調理台車１においては、まず第１の加熱装置３と第２の加熱装置５とを、位置固定板１５に当接させて位置固定した後、加熱可能にセットする。第１の加熱装置３には、被加熱物支持体２０を装着して、寸胴鍋６やストーブ用通風体７のいずれかを載置可能にする。実施形態では、容量の大きい寸胴鍋６を第１の突出支持片２２上に載置させて各食料を加熱する。
【００４９】
第１の加熱装置３では、ガスバーナーで加熱するために火力が強く、例えば、炊飯袋焚きやレトルト食品あるいは缶詰を多量に収納して加熱することができる。
【００５０】
なお、加熱された食料をさらに調理する場合には、防護柵１１の一辺に折り畳まれて配置された調理台１６を水平にセットし、図２に示すように、例えば、支持棒１７で支持する。そして、調理台１６をまな板代わりにするか、あるいはまな板を調理台１６に載せて、食料を切り刻んで調理することもできる。
【００５１】
第１の加熱装置３においては、寸胴鍋６で食料を加熱して調理した後、ストーブ用通風体７を被加熱物支持体２０の支持リング面２４上に載置させる。この場合、ストーブ用通風体７を第１の加熱装置３ごと調理台車１の外に取り出してストーブを構成し、ストーブの周りに人を集めて暖をとることもできる。
【００５２】
第２の加熱装置５においては、主に、焼き物を２段積みにした容器（下段焼き物器４１と上段焼き物器４２）に収納して加熱することができる。例えば、２段積みにした下段焼き物器４１と上段焼き物器４２のそれぞれの食料載置板４３、４４に食料（例えば、薩摩芋）を分割して容れ、第２の加熱装置５で加熱する。下段の焼き物器４１には、突出脚片４１２が配置されているから、突出脚片４１２を第２の加熱装置５の外枠に形成して固定する。上段焼き物器４２は、その下部を下段焼き物器４１に内嵌して積み重ねることとなる。
【００５３】
下段焼き物器４１の食料載置板４３には、火力が強いために小孔の通気孔４３１が多数形成され、上段焼き物器４２の食料載置板４４には、火力が弱くなるために通気孔４３１より大径の通気孔４４１が形成されている。そのため、下段の食料と上段の食料とは適度な焼き具合となって調理されることとなる。
【００５４】
また、２段の焼き物器（下段焼き物器４１、上段焼き物器４２）の代わりに、小径の鍋（半寸胴鍋）を直接第２の加熱装置５上に載置させて加熱させることもできる。
【００５５】
上述のように、実施形態の調理台車１によれば、調理するための第１の加熱装置３（又は第２の加熱装置５）や調理器具を台車本体１０内に収納した状態で、非常時に移動して調理することができることから、避難してきた人たちにとっては、とてもありがたく感じることになる。調理台車１は、少なくとも２台の加熱装置（第１の加熱装置３、第２の加熱装置５）を収納でき、そのうちの１台の第１の加熱装置３は、大きな容量の寸胴鍋６を載置して加熱することができることから、多くの人たちに、炊飯袋焚きされた食料等を供給することができる。
【００５６】
また、第１の加熱装置３には、寸胴鍋６とストーブ用通風体７とを置き換えるための被加熱物支持体２０が装着されていることから、寸胴鍋６で、例えば炊飯した後、ストーブ用通風体７に置き換えてストーブとして使用することができるとともに、寸胴鍋６又はストーブ用通風体７のいずれにおいても第１の加熱装置３に安定した状態で載置することができる。
【００５７】
また、調理台車１には、第１の加熱装置３および第２の加熱装置５、あるいは寸胴鍋６や上・下段焼き物器４１、４２等の被加熱物等を囲むように格子状の防護柵１１が配置されているから、調理台車１内で加熱中であっても、例えば、子供たちが第１の加熱装置３、第２の加熱装置５に近づこうとしても防護柵１１で防護されることとなって、火傷等を負うような災害を防止することができる。
【００５８】
さらに、第２の加熱装置５に載置する下段焼き物器４１には、第２の加熱装置５に係止する突出脚片４１２が載置され、突出脚片４１２を第２の加熱装置５の外枠に係止するから、下段焼き物器４１の上段焼き物器４２を積み上げても、第２の加熱装置５に安定して載置させることができる。
【００５９】
なお、本考案の調理台車は、上述の実施形態に限定するものではない。例えば、第１の加熱装置に載置する被加熱物は、被加熱物支持台に載置されるものであれば、寸胴鍋やストーブ用通風体でなくてもよい。
【００６０】
また、被加熱物支持体には、多種類の被加熱物を載置できる支持部を、第１の突出支持片や第２の突出支持片あるいは支持リング面以外にも設けることができる。
【００６１】
さらに、第２の加熱装置に載置する被加熱物を入れ換え可能に支持するために、被加熱物支持体を新たに設けてもよい。
【図面の簡単な説明】
【００６２】
【図１】本考案の実施形態による調理台車を示す正面図である。
【図２】図１における調理台車の台車本体を示す正面図である。
【図３】図２の台車本体に収納する加熱装置の位置固定板を示す平面図である。
【図４】第１の加熱装置に装着する被加熱物支持体を示す斜視図である。
【図５】第１の被加熱物としての寸胴鍋を示す斜視図である。
【図６】第１の加熱装置に載置される寸胴鍋の断面図及び寸胴鍋に挿入するサナイタと金網笊を示す一部断面図である。
【図７】被加熱物支持体に載置されるストーブ用通風体を示す斜視図である。
【図８】第２の加熱装置に載置した焼き物器を２段に積み上げた状態を示す正面断面図である。
【図９】２段の焼き物器を積み重ねる前の状態を示す分解斜視図である
【符号の説明】
【００６３】
１、調理台車
３、第１の加熱装置
５、第２の加熱装置
６、寸胴鍋
７、ストーブ用通風体
１０、台車本体
１１、防護柵
１３、下部支持台
１４、上部支持台
１５、位置固定板
１６、調理台
２０、被加熱物支持体
２１、リング状本体部
２２、第１の突出支持片
２３、第２の突出支持片
２４、支持リング面
３１、サナイタ
３３、金網笊
４１、下段焼き物器
４１２、突出脚片
４２、上段焼き物器
４３、食料載置板
４３１、通気孔
４４、食料載置板
４４１、通気孔
７１、装着部
７２、熱風通路部
７３、熱風排出部
【図１】
0003147864.tif 000003
【図２】
0003147864.tif 000004
【図３】
0003147864.tif 000005
【図４】
0003147864.tif 000006
【図５】
0003147864.tif 000007
【図６】
0003147864.tif 000008
【図７】
0003147864.tif 000009
【図８】
0003147864.tif 000010
【図９】
0003147864.tif 000011